【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
衛星信号が同時に受信され得るときにワイヤレス信号を送信するようにデバイスを動作させる方法であって、前記方法は、
前記ワイヤレス信号に第１の優先度値を割り当てることと、
前記衛星信号に第２の優先度値を割り当てることと、
前記デバイスが動いているかどうかを決定することと、
前記決定することに応答して前記第１の優先度値に対して前記第２の優先度値を動的に調整することと、
前記第１の優先度値と前記第２の優先度値とを比較することと、および、
前記比較することに応答して前記ワイヤレス信号の送信レートを調整することと、
を備える、方法。
【請求項２】
前記ワイヤレス信号に関連する１つまたは複数の動作パラメータを監視することと、および、
前記監視することに応答して前記第１および第２の優先度値の一方または両方を動的に調整することと、
をさらに備える、請求項１に記載の方法。
【請求項３】
前記ワイヤレス信号は、Ｗｉ−Ｆｉ信号を備え、前記送信レートは、前記Ｗｉ−Ｆｉ信号に割り振られる送信タイムスロットの数を変更することによって、または前記Ｗｉ−Ｆｉ信号に割り振られる１つまたは複数の送信タイムスロットの持続時間を変更することによって調整される、請求項１に記載の方法。
【請求項４】
前記調整することは、
前記比較することが、前記衛星信号が前記ワイヤレス信号よりも高い優先度を有することを示す場合、前記ワイヤレス信号の前記送信レートを減少させることと、および、
前記比較することが、前記衛星信号が前記ワイヤレス信号よりも低い優先度を有することを示す場合、前記ワイヤレス信号の前記送信レートを増加させることと、を備える、請求項１に記載の方法。
【請求項５】
前記調整することは、
前記第２の優先度値がしきい値よりも大きい場合、前記ワイヤレス信号の送信を終了することをさらに備える、請求項１に記載の方法。
【請求項６】
前記ワイヤレス信号の前記送信レートがしきい値よりも小さい場合、ワイヤレス信号送信中は、前記受信された衛星信号の一部分をフィルタすること
をさらに備える、請求項１に記載の方法。
【請求項７】
ワイヤレス信号送信の持続時間が所定の時間期間よりも短い場合、前記ワイヤレス信号送信中は、前記受信された衛星信号の一部分をフィルタすること
をさらに備える、請求項１に記載の方法。
【請求項８】
前記動的に調整することは、
前記デバイスが動いている場合、前記第１の優先度値に対して前記第２の優先度値を増加させることと、および、
前記デバイスが止まっている場合、前記第１の優先度値に対して前記第２の優先度値を減少させることと、を備える、請求項１に記載の方法。
【請求項９】
前記デバイスがＷＬＡＮベース測位アプリケーションを実行しているかどうかを決定することと、および、
前記デバイスが前記ＷＬＡＮベース測位アプリケーションを実行している場合、前記第１の優先度値に対して前記第２の優先度値を減少させることと、
をさらに備える、請求項１に記載の方法。
【請求項１０】
前記ワイヤレス信号が保証帯域幅のデータ送信に関連するかどうかを決定することと、および、
前記ワイヤレス信号が前記保証帯域幅のデータ送信に関連する場合、前記第１の優先度値に対して前記第２の優先度値を減少させることと、
をさらに備える、請求項１に記載の方法。
【請求項１１】
前記ワイヤレス信号の直近の送信が所定の時間期間より前に行われたかどうかを決定することと、および、
前記ワイヤレス信号の前記直近の送信が前記所定の時間期間より前に行われた場合、前記第１の優先度値に対して前記第２の優先度値を減少させることと、
をさらに備える、請求項１に記載の方法。
【請求項１２】
前記デバイスのユーザによって供されたいくつかの重み付け値を受信することと、および、
前記重み付け値に応答して前記第１の優先度値または前記第２の優先度値を調整することと、
をさらに備える、請求項１に記載の方法。
【請求項１３】
衛星信号が同時に受信され得るときにワイヤレス信号を送信するためのワイヤレスデバイスであって、前記ワイヤレスデバイスは、
前記ワイヤレス信号に第１の優先度値を割り当てるための手段と、
前記衛星信号に第２の優先度値を割り当てるための手段と、
前記デバイスが動いているかどうかを決定するための手段と、
前記決定に応答して前記第１の優先度値に対して前記第２の優先度値を動的に調整するための手段と、
前記第１の優先度値と前記第２の優先度値とを比較するための手段と、および、
前記比較することに応答して前記ワイヤレス信号の送信レートを選択的に調整するための手段と、
を備える、ワイヤレスデバイス。
【請求項１４】
ワイヤレス信号を送信するための第１の回路と、
衛星信号を受信するための第２の回路と、および、
前記第１の回路と前記第２の回路とに結合されたプロセッサと
を備え、
前記ワイヤレス信号に第１の優先度値を割り当てるための前記手段と、前記衛星信号に第２の優先度値を割り当てるための前記手段と、前記デバイスが動いているかどうかを決定するための前記手段と、前記第２の優先度値を動的に調整するための前記手段と、前記第１の優先度値と前記第２の優先度値とを比較するための前記手段と、前記ワイヤレス信号の送信レートを選択的に調整するための前記手段は、前記プロセッサによって供される、請求項１３に記載のワイヤレスデバイス。
【請求項１５】
請求項１乃至１２のうちの１つの方法のすべてのステップを実現するコンピュータ実行可能なプログラム命令を備える、コンピュータプログラム。
【手続補正２】
【補正対象書類名】明細書
【補正対象項目名】００５４
【補正方法】変更
【補正の内容】
【００５４】
[0059]上記の明細書では、本実施形態は、それの特定の例示的な実施形態を参照しながら説明された。しかしながら、様々な改変および変更が、添付の特許請求の範囲に記載された開示のより広い範囲から逸脱することなく、それに行われ得ることは明らかであろう。したがって、明細書および図面は、限定的な意味ではなく例示的な意味で考慮されるべきである。
以下に、出願当初の特許請求の範囲に記載された発明を付記する。
［Ｃ１］
衛星信号が受信され得るときにワイヤレス信号を送信するようにデバイスを動作させる方法であって、前記方法は、
前記ワイヤレス信号に第１の優先度値を割り当てることと、
前記衛星信号に第２の優先度値を割り当てることと、
前記第１の優先度値と前記第２の優先度値とを比較することと、および、
前記比較することに応答して前記ワイヤレス信号の送信レートを調整することと、
を備える、方法。
［Ｃ２］
前記ワイヤレス信号に関連する１つまたは複数の動作パラメータを監視することと、および、
前記監視することに応答して前記第１および第２の優先度値の一方または両方を動的に調整することと、
をさらに備える、Ｃ１に記載の方法。
［Ｃ３］
前記ワイヤレス信号は、Ｗｉ−Ｆｉ信号を備える、Ｃ１に記載の方法。
［Ｃ４］
前記送信レートは、前記Ｗｉ−Ｆｉ信号に割り振られる送信タイムスロットの数を変更することによって調整される、Ｃ３に記載の方法。
［Ｃ５］
前記送信レートは、前記Ｗｉ−Ｆｉ信号に割り振られる１つまたは複数の送信タイムスロットの持続時間を変更することによって調整される、Ｃ３に記載の方法。
［Ｃ６］
前記調整することは、
前記比較することが、前記衛星信号が前記ワイヤレス信号よりも高い優先度を有することを示す場合、前記ワイヤレス信号の前記送信レートを減少させることと、および、
前記比較することが、前記衛星信号が前記ワイヤレス信号よりも低い優先度を有することを示す場合、前記ワイヤレス信号の前記送信レートを増加させることと、を備える、Ｃ１に記載の方法。
［Ｃ７］
前記調整することは、
前記第２の優先度値がしきい値よりも大きい場合、前記ワイヤレス信号の送信を終了することをさらに備える、Ｃ１に記載の方法。
［Ｃ８］
前記ワイヤレス信号の前記送信レートがしきい値よりも小さい場合、ワイヤレス信号送信中は、前記受信された衛星信号の一部分をフィルタすること
をさらに備える、Ｃ１に記載の方法。
［Ｃ９］
ワイヤレス信号送信の持続時間が所定の時間期間よりも短い場合、前記ワイヤレス信号送信中は、前記受信された衛星信号の一部分をフィルタすること
をさらに備える、Ｃ１に記載の方法。
［Ｃ１０］
前記デバイスが動いているかどうかを決定することと、および、
前記決定することに応答して前記第１の優先度値に対して前記第２の優先度値を動的に調整することと、
をさらに備える、Ｃ１に記載の方法。
［Ｃ１１］
前記動的に調整することは、
前記デバイスが動いている場合、前記第１の優先度値に対して前記第２の優先度値を増加させることと、および、
前記デバイスが止まっている場合、前記第１の優先度値に対して前記第２の優先度値を減少させることと、を備える、Ｃ１０に記載の方法。
［Ｃ１２］
前記デバイスがＷＬＡＮベース測位アプリケーションを実行しているかどうかを決定することと、および、
前記デバイスが前記ＷＬＡＮベース測位アプリケーションを実行している場合、前記第１の優先度値に対して前記第２の優先度値を減少させることと、
をさらに備える、Ｃ１に記載の方法。
［Ｃ１３］
前記ワイヤレス信号が保証帯域幅のデータ送信に関連するかどうかを決定することと、および、
前記ワイヤレス信号が前記保証帯域幅のデータ送信に関連する場合、前記第１の優先度値に対して前記第２の優先度値を減少させることと、
をさらに備える、Ｃ１に記載の方法。
［Ｃ１４］
前記ワイヤレス信号の直近の送信が所定の時間期間より前に行われたかどうかを決定することと、および、
前記ワイヤレス信号の前記直近の送信が前記所定の時間期間より前に行われた場合、前記第１の優先度値に対して前記第２の優先度値を減少させることと、
をさらに備える、Ｃ１に記載の方法。
［Ｃ１５］
前記デバイスのユーザによって供されたいくつかの重み付け値を受信することと、および、
前記重み付け値に応答して前記第１の優先度値または前記第２の優先度値を調整することと、
をさらに備える、Ｃ１に記載の方法。
［Ｃ１６］
ワイヤレス信号を送信するための第１の回路と、
衛星信号を受信するための第２の回路と、および、
前記ワイヤレス信号に割り当てられた第１の優先度値と前記衛星信号に割り当てられた第２の優先度値との間の比較に応答して、前記ワイヤレス信号の送信レートを選択的に調整するための、前記第１の回路と前記第２の回路とに結合された、プロセッサと、を備える、ワイヤレスデバイス。
［Ｃ１７］
前記プロセッサはさらに、
前記ワイヤレス信号に関連する１つまたは複数の動作パラメータを監視し、および、
前記監視に応答して前記第１および第２の優先度値の一方または両方を動的に調整する、ためのものである、Ｃ１６に記載のワイヤレスデバイス。
［Ｃ１８］
前記プロセッサは、前記比較に応答して、前記第１の回路に割り振られる送信タイムスロットの数を変更するためのものである、Ｃ１６に記載のワイヤレスデバイス。
［Ｃ１９］
前記プロセッサは、前記比較に応答して、前記第１の回路に割り振られる１つまたは複数の送信タイムスロットの持続時間を変更するためのものである、Ｃ１６に記載のワイヤレスデバイス。
［Ｃ２０］
前記ワイヤレスデバイスのユーザによって供されたいくつかの重み付け値を記憶するための、前記プロセッサに結合された、メモリと、ここにおいて、前記プロセッサは、前記重み付け値に応答して前記第１の優先度値または前記第２の優先度値を調整するためのものであり、
をさらに備える、Ｃ１６に記載のワイヤレスデバイス。
［Ｃ２１］
前記プロセッサは、
前記第２の優先度値が前記第１の優先度値よりも大きい場合、前記ワイヤレス信号の前記送信レートを減少させるためのものである、Ｃ１６に記載のワイヤレスデバイス。
［Ｃ２２］
前記プロセッサは、
前記第２の優先度値がしきい値よりも大きい場合、前記ワイヤレス信号の送信を終了させるためのものである、Ｃ１６に記載のワイヤレスデバイス。
［Ｃ２３］
前記プロセッサは、
前記ワイヤレス信号の前記送信レートがしきい値よりも小さい場合、ワイヤレス信号送信中は、前記受信された衛星信号の一部分をフィルタするためのものである、Ｃ１６に記載のワイヤレスデバイス。
［Ｃ２４］
前記プロセッサは、
ワイヤレス信号送信の持続時間が所定の時間期間よりも短い場合、前記ワイヤレス信号送信中は、前記受信された衛星信号の一部分をフィルタするためのものである、Ｃ１６に記載のワイヤレスデバイス。
［Ｃ２５］
前記プロセッサは、
前記デバイスが動いている場合、前記第１の優先度値に対して前記第２の優先度値を増加させるためのものである、Ｃ１６に記載のワイヤレスデバイス。
［Ｃ２６］
前記プロセッサは、
前記デバイスがＷＬＡＮベース測位アプリケーションを実行している場合、前記第１の優先度値に対して前記第２の優先度値を減少させるためのものである、Ｃ１６に記載のワイヤレスデバイス。
［Ｃ２７］
前記プロセッサは、
前記ワイヤレス信号が保証帯域幅のデータ送信に関連する場合、前記第１の優先度値に対して前記第２の優先度値を減少させるためのものである、Ｃ１６に記載のワイヤレスデバイス。
［Ｃ２８］
前記プロセッサは、
前記ワイヤレス信号の直近の送信が所定の時間期間より前に行われた場合、前記第１の優先度値に対して前記第２の優先度値を減少させるためのものである、Ｃ１６に記載のワイヤレスデバイス。
［Ｃ２９］
衛星信号が受信され得るときにワイヤレス信号を送信するためのものであるワイヤレスデバイスのプロセッサによって実行されたとき、
前記ワイヤレス信号に第１の優先度値を割り当て、
前記衛星信号に第２の優先度値を割り当て、
前記第１の優先度値と前記第２の優先度値とを比較し、および、
前記比較に応答して前記ワイヤレス信号の送信レートを選択的に調整する、
ことを前記ワイヤレスデバイスに行わせるプログラム命令を含んでいるコンピュータ可読記憶媒体。
［Ｃ３０］
前記プログラム命令の実行はさらに、
前記ワイヤレス信号に関連する１つまたは複数の動作パラメータを監視し、および、
前記監視することに応答して前記第１および第２の優先度値の一方または両方を動的に調整する、
ことを前記ワイヤレスデバイスに行わせる、Ｃ２９に記載のコンピュータ可読記憶媒体。
［Ｃ３１］
前記送信レートは、前記ワイヤレス信号に割り振られる送信タイムスロットの数を変更することによって調整される、Ｃ２９に記載のコンピュータ可読記憶媒体。
［Ｃ３２］
前記ワイヤレスデバイスは、
前記第２の優先度値が前記第１の優先度値よりも大きい場合、前記ワイヤレス信号の前記送信レートを減少させることによって前記送信レートを選択的に調整するためのものである、Ｃ２９に記載のコンピュータ可読記憶媒体。
［Ｃ３３］
前記プログラム命令の実行はさらに、
前記第２の優先度値がしきい値よりも大きい場合、前記ワイヤレス信号の送信を終了させる
ことを前記ワイヤレスデバイスに行わせる、Ｃ２９に記載のコンピュータ可読記憶媒体。
［Ｃ３４］
前記プログラム命令の実行は、
前記デバイスが動いている場合、前記第１の優先度値に対して前記第２の優先度値を増加させる
ことを前記ワイヤレスデバイスに行わせる、Ｃ２９に記載のコンピュータ可読記憶媒体。
［Ｃ３５］
前記プログラム命令の実行は、
前記デバイスがＷＬＡＮベース測位アプリケーションを実行している場合、前記第１の優先度値に対して前記第２の優先度値を減少させる
ことを前記ワイヤレスデバイスに行わせる、Ｃ２９に記載のコンピュータ可読記憶媒体。
［Ｃ３６］
前記プログラム命令の実行は、
前記ワイヤレス信号が保証帯域幅のデータ送信に関連する場合、前記第１の優先度値に対して前記第２の優先度値を減少させる
ことを前記ワイヤレスデバイスに行わせる、Ｃ２９に記載のコンピュータ可読記憶媒体。
［Ｃ３７］
前記プログラム命令の実行は、
前記ワイヤレス信号の直近の送信が所定の時間期間より前に行われた場合、前記第１の優先度値に対して前記第２の優先度値を減少させる
ことを前記ワイヤレスデバイスに行わせる、Ｃ２９に記載のコンピュータ可読記憶媒体。
［Ｃ３８］
前記プログラム命令の実行はさらに、
前記デバイスのユーザによって供されたいくつかの重み付け値を受信し、および、
前記重み付け値に応答して前記第１の優先度値または前記第２の優先度値を動的に調整する、
ことを前記ワイヤレスデバイスに行わせる、Ｃ２９に記載のコンピュータ可読記憶媒体。
［Ｃ３９］
衛星信号が受信され得るときにワイヤレス信号を送信するためのワイヤレスデバイスであって、前記ワイヤレスデバイスは、
前記ワイヤレス信号に第１の優先度値を割り当てるための手段と、
前記衛星信号に第２の優先度値を割り当てるための手段と、
前記第１の優先度値と前記第２の優先度値とを比較するための手段と、および、
前記比較することに応答して前記ワイヤレス信号の送信レートを選択的に調整するための手段と、
を備える、ワイヤレスデバイス。
［Ｃ４０］
前記ワイヤレス信号に関連する１つまたは複数の動作パラメータを監視するための手段と、および、
前記監視することに応答して前記第１および第２の優先度値の一方または両方を動的に調整するための手段と、
をさらに備える、Ｃ３９に記載のワイヤレスデバイス。
［Ｃ４１］
前記第２の優先度値がしきい値よりも大きい場合、前記ワイヤレス信号の送信を終了させるための手段
をさらに備える、Ｃ３９に記載のワイヤレスデバイス。
［Ｃ４２］
前記デバイスが動いているかどうかを決定するための手段と、および、
前記決定に応答して前記第１の優先度値に対して前記第２の優先度値を動的に調整するための手段と、
をさらに備える、Ｃ３９に記載のワイヤレスデバイス。
［Ｃ４３］
前記デバイスがＷＬＡＮベース測位アプリケーションを実行しているかどうかを決定するための手段と、および、
前記決定に応答して前記第１の優先度値に対して前記第２の優先度値を動的に調整するための手段と、
をさらに備える、Ｃ３９に記載のワイヤレスデバイス。
［Ｃ４４］
前記ワイヤレス信号が保証帯域幅のデータ送信に関連するかどうかを決定するための手段と、および、
前記決定に応答して前記第１の優先度値に対して前記第２の優先度値を動的に調整するための手段と、
をさらに備える、Ｃ３９に記載のワイヤレスデバイス。
［Ｃ４５］
前記ワイヤレス信号の直近の送信が所定の時間期間より前に行われたかどうかを決定するための手段と、および、
前記決定に応答して前記第１の優先度値に対して前記第２の優先度値を動的に調整するための手段と、
をさらに備える、Ｃ３９に記載のワイヤレスデバイス。
［Ｃ４６］
前記デバイスのユーザによって供されたいくつかの重み付け値を受信するための手段と、および、
前記重み付け値に応答して前記第１の優先度値または前記第２の優先度値を動的に調整するための手段と、
をさらに備える、Ｃ３９に記載のワイヤレスデバイス。